(57)【要約】【課題】サプライ品製造業者が製造するサプライ品が所望の電子機器に適合するか否かについての判定に要する工程を、簡略化し、時間的にも短縮する。【解決手段】情報入出力装置を介してアクセスしたサプライ品製造業者に、当該サプライ品製造業者が製造するサプライ品の供給を希望する電子機器を特定させ（Ｐ６）、当該サプライ品製造業者が製造するサプライ品の仕様を入力させる（Ｐ７）。また、サプライ品製造業者が製造するサプライ品の仕様が特定された電子機器に用いられるサプライ品に要求される仕様に適合するか否かを判定する。これにより、サプライ品製造業者が製造するサプライ品が所望の電子機器に適合するか否かについての判定に要する工程を、サプライ品製造業者からサンプルの提供を受けて実際に使用して適合するか否かを判定する場合に比べて、簡略化することができ、時間的にも短縮することができる。【選択図】        図４
2004280143.tif 000002
【特許請求の範囲】
【請求項１】
情報入出力装置を介したサプライ品製造業者からのアクセスを通信ネットワークを通じて受け付けるアクセス受付手段と、
前記情報入出力装置を介してアクセスしたサプライ品製造業者に、当該サプライ品製造業者が製造するサプライ品の供給を希望する電子機器を特定させる機器特定手段と、
前記サプライ品製造業者に、当該サプライ品製造業者が製造するサプライ品の仕様を入力させるサプライ品仕様入力手段と、
このサプライ品仕様入力手段により入力された前記サプライ品製造業者が製造するサプライ品の仕様が、前記機器特定手段により特定された電子機器に用いられるサプライ品に要求される仕様に適合するか否かを判定するサプライ品適合判定手段と、
前記情報入出力装置を介してアクセスしたサプライ品製造業者と、前記サプライ品仕様入力手段により入力された前記サプライ品製造業者が製造するサプライ品の仕様と、前記サプライ品適合判定手段による適合判定結果と、を対応付けて記憶部に記憶するサプライ品情報蓄積手段と、
を備えるサプライ品適合判定装置。
【請求項２】
コンピュータにインストールされるプログラムであって、前記コンピュータに、
情報入出力装置を介したサプライ品製造業者からのアクセスを通信ネットワークを通じて受け付けるアクセス受付機能と、
前記情報入出力装置を介してアクセスしたサプライ品製造業者に、当該サプライ品製造業者が製造するサプライ品の供給を希望する電子機器を特定させる機器特定機能と、
前記サプライ品製造業者に、当該サプライ品製造業者が製造するサプライ品の仕様を入力させるサプライ品仕様入力機能と、
このサプライ品仕様入力機能により入力された前記サプライ品製造業者が製造するサプライ品の仕様が、前記機器特定手段により特定された電子機器に用いられるサプライ品に要求される仕様に適合するか否かを判定するサプライ品適合判定機能と、
前記情報入出力装置を介してアクセスしたサプライ品製造業者と、前記サプライ品仕様入力機能により入力された前記サプライ品製造業者が製造するサプライ品の仕様と、前記サプライ品適合判定機能による適合判定結果と、を対応付けて記憶部に記憶するサプライ品情報蓄積機能と、
を実行させるコンピュータに読み取り可能なプログラム。
【請求項３】
コンピュータにインストールされるプログラムであって、前記コンピュータに、
情報入出力装置を介したサプライ品製造業者からのアクセスを通信ネットワークを通じて受け付けるアクセス受付機能と、
前記情報入出力装置を介してアクセスしたサプライ品製造業者に、当該サプライ品製造業者が製造するサプライ品の供給を希望する電子機器を特定させる機器特定機能と、
前記サプライ品製造業者に、当該サプライ品製造業者が製造するサプライ品の仕様を入力させるサプライ品仕様入力機能と、
このサプライ品仕様入力機能により入力された前記サプライ品製造業者が製造するサプライ品の仕様が、前記機器特定手段により特定された電子機器に用いられるサプライ品に要求される仕様に適合するか否かを判定するサプライ品適合判定機能と、
前記情報入出力装置を介してアクセスしたサプライ品製造業者と、前記サプライ品仕様入力機能により入力された前記サプライ品製造業者が製造するサプライ品の仕様と、前記サプライ品適合判定機能による適合判定結果と、を対応付けて記憶部に記憶するサプライ品情報蓄積機能と、
を実行させるプログラムを記憶しているコンピュータに読み取り可能な記憶媒体。
【請求項４】
情報入出力装置を介したサプライ品製造業者からのアクセスを通信ネットワークを通じて受け付けるアクセス受付工程と、
前記情報入出力装置を介してアクセスしたサプライ品製造業者に、当該サプライ品製造業者が製造するサプライ品の供給を希望する電子機器を特定させる機器特定工程と、
前記サプライ品製造業者に、当該サプライ品製造業者が製造するサプライ品の仕様を入力させるサプライ品仕様入力工程と、
このサプライ品仕様入力工程により入力された前記サプライ品製造業者が製造するサプライ品の仕様が、前記機器特定手段により特定された電子機器に用いられるサプライ品に要求される仕様に適合するか否かを判定するサプライ品適合判定工程と、
前記情報入出力装置を介してアクセスしたサプライ品製造業者と、前記サプライ品仕様入力機能により入力された前記サプライ品製造業者が製造するサプライ品の仕様と、前記サプライ品適合判定機能による適合判定結果と、を対応付けて記憶部に記憶するサプライ品情報蓄積工程と、
を具備するサプライ品適合判定方法。
【発明の詳細な説明】
【０００１】
【発明の属する技術分野】
本発明は、サプライ品製造業者により製造されたサプライ品が電子機器メーカーの要求するサプライ品の仕様に適合するか否かを判定するサプライ品適合判定装置、プログラム、記憶媒体及びサプライ品適合判定方法に関する。
【０００２】
【従来の技術】
従来、ＰＯＳ（Ｐｏｉｎｔ  ｏｆ  Ｓａｌｅｓ：販売時点管理）端末やサーマルプリンタ等の電子機器においては、紙詰まり等のトラブルを排除すべく、それぞれ最適な特性を有するサプライ品（サーマルロールペーパー等）を利用するようにしている。
【０００３】
【発明が解決しようとする課題】
ところで、ＰＯＳ端末やサーマルプリンタ等の電子機器を製造する電子機器メーカーにおいては、サプライ品が電子機器に適合するか否かについては、サプライ品製造業者からサンプルの提供を受け、実際に実験的に使用することにより判断するようにしている。したがって、選定作業は、非常に手間と時間がかかる作業となっている。
【０００４】
また、サプライ品製造業者側においては、電子機器メーカーに対して自社のサプライ品を売り込む機会をなかなか作ることができないという現実もある。
【０００５】
本発明は、サプライ品製造業者が製造するサプライ品が所望の電子機器に適合するか否かについての判定に要する工程を、サプライ品製造業者からサンプルの提供を受けて実際に使用して適合するか否かを判定する場合に比べて、簡略化することができ、時間的にも短縮することができるサプライ品適合判定装置、プログラム、記憶媒体及びサプライ品適合判定方法を提供することを目的とする。
【０００６】
本発明は、多くのサプライ品製造業者からのアプローチを期待することができ、高品質、低価格のサプライ品を供給することができるようになるサプライ品適合判定装置、プログラム、記憶媒体及びサプライ品適合判定方法を提供することを目的とする。
【０００７】
【課題を解決するための手段】
本発明のサプライ品適合判定装置は、情報入出力装置（例えば、パーソナルコンピュータ等）を介したサプライ品製造業者からのアクセスを通信ネットワーク（例えば、インターネット網等）を通じて受け付けるアクセス受付手段と、前記情報入出力装置を介してアクセスしたサプライ品製造業者に、当該サプライ品製造業者が製造するサプライ品（例えば、サーマルロールペーパー等）の供給を希望する電子機器（例えば、ＰＯＳ端末等）を特定させる機器特定手段と、前記サプライ品製造業者に、当該サプライ品製造業者が製造するサプライ品の仕様を入力させるサプライ品仕様入力手段と、このサプライ品仕様入力手段により入力された前記サプライ品製造業者が製造するサプライ品の仕様が、前記機器特定手段により特定された電子機器に用いられるサプライ品に要求される仕様に適合するか否かを判定するサプライ品適合判定手段と、前記情報入出力装置を介してアクセスしたサプライ品製造業者と、前記サプライ品仕様入力手段により入力された前記サプライ品製造業者が製造するサプライ品の仕様と、前記サプライ品適合判定手段による適合判定結果と、を対応付けて記憶部に記憶するサプライ品情報蓄積手段と、を備える。
【０００８】
したがって、情報入出力装置を介してアクセスしたサプライ品製造業者により、当該サプライ品製造業者が製造するサプライ品の供給を希望する電子機器が特定され、当該サプライ品製造業者が製造するサプライ品の仕様が入力される。また、サプライ品製造業者が製造するサプライ品の仕様が、特定された電子機器に用いられるサプライ品に要求される仕様に適合するか否かが判定される。その後、アクセスしたサプライ品製造業者と、サプライ品製造業者が製造するサプライ品の仕様と、適合判定結果とが、対応付けられて記憶部に記憶される。
【０００９】
【発明の実施の形態】
本発明の実施の一形態を図１ないし図２０に基づいて説明する。
【００１０】
本実施の形態のサプライ品適合判定装置を含むサプライ品適合判定システムは、サプライ品製造業者により製造されたサプライ品（例えば、ＰＯＳ端末やラベルプリンタ等の電子機器に用いられるロール紙やラベル等）が、電子機器メーカーの要求するサプライ品の仕様に適合するか否かを判定することを目的とするものである。
【００１１】
ここで、図１はサプライ品適合判定システム１００の全体構成を概略的に示すシステム構成図である。図１に示すように、サプライ品適合判定システム１００には、電子機器に用いられる各種のサプライ品（例えば、サーマルロールペーパーやインクリボン等）を製造する各サプライ品製造業者のオフィス等に設置される情報入出力装置であるクライアントＰＣ（Ｐｅｒｓｏｎａｌ  Ｃｏｍｐｕｔｅｒ）１が備えられており、通信ネットワークであるインターネット２に接続されている。
【００１２】
また、サプライ品適合判定システム１００には、電子機器メーカーのオフィス等に設置されるサーバコンピュータ（以下、サーバという）３が備えられており、このサーバ３もインターネット２に接続されている。このサーバ３は、サプライ品適合判定装置として機能するものである。サーバ３には、通信ネットワークであるＬＡＮ（Ｌｏｃａｌ  Ａｒｅａ  Ｎｅｔｗｏｒｋ）４を介して情報入出力装置である複数のクライアントＰＣ５、プリンタ６がそれぞれ接続されている。
【００１３】
次に、電子機器メーカーのオフィス等に設置されるサーバ３について詳細に説明する。ここで、図２はサーバ３の各部の電気的接続を示すブロック図である。図２に示すように、サーバ３には、各部を集中的に制御するＣＰＵ（Ｃｅｎｔｒａｌ  Ｐｒｏｃｅｓｓｉｎｇ  Ｕｎｉｔ）、制御プログラムを格納するＲＯＭ（Ｒｅａｄ  Ｏｎｌｙ  Ｍｅｍｏｒｙ）、ＣＰＵのワークエリアとして機能するＲＡＭ（Ｒａｎｄｏｍ  Ａｃｃｅｓｓ  Ｍｅｍｏｒｙ）等で構成されるコンピュータ構成の制御手段２１が設けられており、この制御手段２１は各種演算やデータ転送などを制御する。制御手段２１には、通信制御手段２２が接続されており、インターネット２やＬＡＮ４とのデータの入出力制御を行う。
【００１４】
加えて、制御手段２１には、ＷＥＢサーバプログラムを格納するＨＤＤ（ＨａｒｄＤｉｓｋ  Ｄｒｉｖｅ）等の記憶装置（記憶媒体）２３と、ＨＴＭＬ（ＨｙｐｅｒＴｅｘｔ  Ｍａｒｋｕｐ  Ｌａｎｇｕａｇｅ）ファイルとＣＧＩ（Ｃｏｍｍｏｎ  Ｇａｔｅｗａｙ  Ｉｎｔｅｒｆａｃｅ）を介して呼び出される外部プログラム（以下、ＣＧＩプログラムという）を格納するＨＤＤ等の記憶装置（記憶媒体）２４とが接続されている。これらの記憶装置２３，２４は、サーバ３の内部に設けられるものであっても良いし、サーバ３の外部に設けられるものであっても良い。
【００１５】
なお、ＷＥＢサーバプログラムは、各サプライ品製造業者のオフィス等に設置されたクライアントＰＣ１からインターネット２を通じてＷＥＢの閲覧要求があった時、ＨＴＭＬファイルの転送やＣＧＩプログラムの実行により、クライアントＰＣ１に閲覧情報を送り出すプログラムである。例えばクライアントＰＣ１からの閲覧要求が既に用意されているＨＴＭＬファイルの閲覧要求であった場合、ＷＥＢサーバプログラムは、ＨＴＭＬファイルをクライアントＰＣ１に送信する。また、クライアントＰＣ１からの閲覧要求内に、データの転送などがあった場合には、ＣＧＩプログラムが実行され、データの保存や各種演算が行われる。
【００１６】
また、図２に示すように、制御手段２１には、メーカー担当者のデータを保存する記憶装置（以下、メーカー担当者データファイルという）２５、サプライ品製造業者が登録したサプライ品仕様データを保存する記憶装置（以下、サプライ品仕様情報ファイルという）２６、サプライ品製造業者のデータを保存する記憶装置（以下、サプライ品製造業者データファイルという）２７、各電子機器に対応するサプライ品情報を保存する記憶装置（以下、サプライ品情報データファイルという）２８、電子機器に用いられるサプライ品に要求する各種のデータ項目を保存する記憶装置（以下、サプライ品要求項目データファイル２９という）２９、電子機器メーカーがサプライ品に要求する仕様（仕様、物性値、価格等）を保存する記憶装置（以下、サプライ品要求仕様ファイルという）３０、サプライ品製造業者のサプライ品の仕様（仕様、物性値、価格等）をその適合判定結果とともに保存する記憶装置（以下、サプライ品適合判定結果ファイルという）３１がそれぞれ接続されている。これらの各ファイル２５，２６，２７，２８，２９，３０，３１については、詳しくは後に説明する。なお、これらの各ファイル２５，２６，２７，２８，２９，３０，３１は、サーバ３の内部に設けられるものであっても良いし、サーバ３の外部に設けられるものであっても良い。また、これらの各ファイル２５，２６，２７，２８，２９，３０，３１は、一の記憶装置に全て含まれるものであっても何ら問題はない。
【００１７】
次に、各サプライ品製造業者のオフィス等に設置されるクライアントＰＣ１、電子機器メーカーのオフィス等に設置されるクライアントＰＣ５について簡略的に説明する。ここで、図３は各クライアントＰＣ１，５の各部の電気的接続を示すブロック図である。図３に示すように、各クライアントＰＣ１，５には、各部を集中的に制御するＣＰＵ、制御プログラムを格納するＲＯＭ、ＣＰＵのワークエリアとして機能するＲＡＭ等で構成される制御手段４１が設けられており、この制御手段４１は各種演算やデータ転送などを制御する。この制御手段４１には、インターネット２とのデータの入出力制御を行う通信制御手段４２や、ブラウジング機能などのインターネット２に対する操作のための特殊な機能を実現するプログラム等の各種プログラムを保存するＨＤＤ等の記憶装置４７が接続されている。なお、各クライアントＰＣ１，５によって記憶装置４７に保存されるプログラムは異なっており、この記憶装置４７に保存されるプログラムの違いによって、各クライアントＰＣ１，５毎に特有の機能を発揮することになる。
【００１８】
また、各クライアントＰＣ１，５には、制御手段４１によって制御されるＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等の表示部４３、入力部として機能するキーボード４４やマウス４５、各種外部機器とのデータ接続を実行するインタフェース（Ｉ／Ｆ）４６等がそれぞれ設けられている。
【００１９】
［サプライ品製造業者によるサプライ品適合判定の申請］
続いて、サプライ品適合判定システム１００の各部の動作について説明する。ここで、図４はクライアントＰＣ１からブラウジング機能を利用してインターネット２を介して電子機器メーカーのオフィス等に設置されるサーバ３のＷＥＢページを閲覧する際のクライアントＰＣ１の表示部４３に表示される画面イメージを示したフローチャートである。なお、図４中、「Ｓｈ＋“番号”」は、サーバ３の制御手段２１が記憶装置２３のＷＥＢサーバプログラムに基づいて記憶装置２４に予め用意されているＨＴＭＬファイルを表示する処理を実行していることを示すものであり、「Ｓｃ＋“番号”」で示しているのは、記憶装置２４のＣＧＩプログラムが動作していることを示し、制御手段２１が閲覧者の要求に応じて閲覧情報を変えたり、ＷＥＢサーバ内でファイル処理を実行していることを示すものである。
【００２０】
［新規登録］
まず、サプライ品製造業者の新規登録の際の動作について説明する。図４に示す画面Ｐ１は、クライアントＰＣ１の表示部４３に表示されるＷＥＢサイトのトップページである。ここで、「新規登録ボタン」をマウス４５でクリックすると、次の画面Ｐ２に進む（Ｓｈ１）。
【００２１】
図４に示す画面Ｐ２は、登録ページである。画面Ｐ２には、社名、住所、電話番号、Ｅメールアドレスを入力するフォームが表示される。登録者は、この画面に必要事項を入力部として機能するキーボード４４やマウス４５を用いて入力することになる。そして、必要事項の入力後、顧客登録ページの「確認ボタン」をマウス４５でクリックするとＣＧＩプログラム（Ｓｃ１）が実行される。
【００２２】
ここで、図５はＣＧＩプログラム（Ｓｃ１）での処理の流れを示すフローチャートである。ＣＧＩプログラム（Ｓｃ１）では、まず、入力された記載項目に漏れが無いことを確認する（ステップＳ１）。
【００２３】
入力された記載項目に漏れが無ければ（ステップＳ１のＹ）、次に、サプライ品製造業者データファイル２７内を検索し、登録するデータと重複するものが無いか否かを確認する（ステップＳ２）。ここで、図６はサプライ品製造業者データファイル２７に記憶されるサプライ品製造業者データのデータ構成を示す模式図である。図６に示すように、サプライ品製造業者データファイル２７には、サプライ品製造業者データとして、ＩＤ、パスワード、社名、住所、電話番号、Ｅメールアドレスが格納されている。したがって、サプライ品製造業者データファイル２７に格納されている各項目と入力された記載項目とを照合することにより、登録するデータと重複するものが無いか否かが判断される。
【００２４】
既存のサプライ品製造業者データファイル２７内に重複したデータが無いことを確認した場合には（ステップＳ２のＹ）、ＣＧＩプログラム（Ｓｃ１）は、ＩＤとパスワードを発行し（ステップＳ３）、新規のサプライ品製造業者データをサプライ品製造業者データファイル２７に作成し（ステップＳ４）、表示部４３に登録確認ページを表示させる（ステップＳ５）。図４の画面Ｐ３は、登録確認ページである。図４に示すように、登録確認ページには、ＩＤとパスワードとが表示される。
【００２５】
そして、ＩＤとパスワードとの確認後、登録確認ページの「確認ボタン」をマウス４５でクリックすると、ＷＥＢサイトのトップページである画面Ｐ１に戻ることになる（Ｓｈ２）。
【００２６】
なお、入力された記載項目に漏れが有る場合や（ステップＳ１のＮ）、既存のサプライ品製造業者データファイル２７内に重複したデータが有る場合には（ステップＳ２のＮ）、クライアントＰＣ１の表示部４３にエラーである旨を表示し、画面Ｐ２（顧客登録ページ）に戻る（ステップＳ６）。
【００２７】
［ログイン］
サプライ品製造業者が、サプライ品適合判定システム１００によるサービスを受けるためには、電子機器メーカーのＷＥＢサイトの所定のＵＲＬ（Ｕｎｉｆｏｒｍ  Ｒｅｓｏｕｒｃｅ  ｌｏｃａｔｏｒ）にアクセスするとともに、電子機器メーカーのＷＥＢサイトにログインする必要がある。そこで、クライアントＰＣ１の表示部４３に表示される画面Ｐ１（ＷＥＢサイトのトップページ）の「ログインボタン」をマウス４５でクリックすると、次の画面Ｐ２に進む（Ｓｈ３）。
【００２８】
図４に示す画面Ｐ２は、ログインページである。画面Ｐ４には、サプライ品製造業者のＩＤとパスワードを入力するフォームが表示されるので、各項目をキーボード４４を用いて入力する。そして、必要項目の入力後、ログインページの「確認ボタン」をマウス４５でクリックするとＣＧＩプログラム（Ｓｃ２）が実行される。
【００２９】
ここで、図７はＣＧＩプログラム（Ｓｃ２）での処理の流れを示すフローチャートである。ＣＧＩプログラム（Ｓｃ２）では、サプライ品製造業者データファイル２７を参照し、入力されたＩＤとパスワードが正しいものか否かを確認する（ステップＳ１１）。すなわち、サプライ品製造業者データファイル２７に格納されているＩＤ及びパスワードと、入力されたＩＤ及びパスワードとを照合することにより、入力されたＩＤ及びパスワードが正しいか否かが判定される。
【００３０】
入力されたＩＤとパスワードが正しい場合には（ステップＳ１１のＹ）、表示部４３に電子機器一覧ページを表示させる（ステップＳ１２）。図４の画面Ｐ５は、電子機器一覧ページである。図４に示すように、画面Ｐ５には、電子機器の画像データがサムネイル表示される。
【００３１】
なお、ＩＤとパスワードとの少なくとも何れか一方が正しくない場合には（ステップＳ１１のＮ）、クライアントＰＣ１の表示部４３にエラーである旨を表示し、画面Ｐ４（ログインページ）に戻る（ステップＳ１３）。
【００３２】
ここに、アクセス受付手段の機能が実行される。
【００３３】
［サプライ品製造業者による電子機器の選択］
図４の画面Ｐ５（電子機器一覧ページ）に表示されている何れか一つの「電子機器の画像」がマウス４５でクリックされると、ＣＧＩプログラム（Ｓｃ３）が実行される。
【００３４】
図８は、ＣＧＩプログラム（Ｓｃ３）での処理の流れを示すフローチャートである。図８に示すように、ＣＧＩプログラム（Ｓｃ３）では、サプライ品製造業者が選択した電子機器に対応するサプライ品情報をサプライ品情報データファイル２８から抽出する（ステップＳ２１）。なお、サプライ品情報データファイル２８には、図９に示すように、各電子機器に対応するサプライ品情報が格納されている。
【００３５】
以上のようにして、電子機器に対応するサプライ品情報が抽出されると、表示部４３にサプライ品指定ページを表示させる（ステップＳ２２）。図４の画面Ｐ６は、サプライ品指定ページである。図４に示すように、画面Ｐ６には、選択された「電子機器の画像」に係る電子機器のサプライ品がラジオボタンとともに表示される。電子機器のサプライ品は、例えば、▲１▼サーマルロールペーパー、▲２▼２色サーマルロールペーパー、というようになっており、ラジオボタンにより択一的に選択される。
【００３６】
ここに、機器特定手段の機能が実行される。
【００３７】
［サプライ品製造業者によるサプライ品データ入力］
サプライ品製造業者が、図４の画面Ｐ６（サプライ品指定ページ）の電子機器のサプライ品を選択し、「選択」ボタンをマウス４５でクリックすると、ＣＧＩプログラム（Ｓｃ４）が実行される。
【００３８】
ここで、図１０はＣＧＩプログラム（Ｓｃ４）での処理の流れを示すフローチャートである。図１０に示すように、ＣＧＩプログラム（Ｓｃ４）では、サプライ品製造業者により選択された電子機器のサプライ品を受領すると（ステップＳ３１のＹ）、受領したサプライ品に要求する各種のデータ項目をサプライ品要求項目データファイル２９から抽出する（ステップＳ３２）。なお、サプライ品要求項目データファイル２９には、図１１に示すように、電子機器に用いられるサプライ品に要求する各種のデータ項目が記憶されている。
【００３９】
以上のようにして、サプライ品製造業者により選択された電子機器のサプライ品に要求する各種のデータ項目が抽出されると、表示部４３にサプライ品要求項目データ入力ページを表示させる（ステップＳ３３）。図４の画面Ｐ７は、サプライ品要求項目データ入力ページである。図４に示すように、画面Ｐ７には、ステップＳ３２で抽出したサプライ品に要求する各種のデータ項目と、各種項目にサプライ品製造業者が製造するサプライ品の仕様、物性値、価格等を入力するための入力フォームが表示される。
【００４０】
ここに、サプライ品仕様入力手段の機能が実行される。
【００４１】
そして、サプライ品製造業者は、画面Ｐ７に基づき、サプライ品製造業者が製造するサプライ品の仕様（仕様、物性値、価格等）を、サプライ品に要求する各種のデータ項目の横の入力フォームに入力する。そして、上記項目の入力後、サプライ品要求項目データ入力ページの「確認ボタン」をマウス４５でクリックするとＣＧＩプログラム（Ｓｃ５）が実行される。
【００４２】
ここで、図１２はＣＧＩプログラム（Ｓｃ５で）の処理の流れを示すフローチャートである。ＣＧＩプログラム（Ｓｃ５）では、まず、入力された記載項目に漏れが無いことを確認する（ステップＳ４１）。
【００４３】
入力された記載項目に漏れが無ければ（ステップＳ４１のＹ）、入力サプライ品仕様データをサプライ品仕様情報ファイル２６に新規作成する。ここで、図１３はサプライ品仕様情報ファイル２６に記憶されるサプライ品仕様データのデータ構成を示す模式図である。図１３に示すように、サプライ品仕様情報ファイル２６には、新規作成されたサプライ品仕様データとして、サプライ品製造業者がログインした時にサプライ品製造業者データファイル２７から抽出した社名、サプライ品要求項目データ入力ページである画面Ｐ７で入力したサプライ品の仕様（仕様、物性値、価格等）のデータが格納されている。
【００４４】
次に、ＣＧＩプログラム（Ｓｃ５）は、表示部４３にサプライ品仕様受付確認ページを表示させる（ステップＳ４３）。図４の画面Ｐ８は、サプライ品仕様受付確認ページである。図４に示すように、サプライ品仕様受付確認ページには、画面Ｐ７で入力したサプライ品の仕様（仕様、物性値、価格等）のデータが表示される。なお、ブラウザの印刷機能により画面の情報をプリントアウトするようにしても良い。
【００４５】
そして、画面Ｐ７で入力したサプライ品の仕様（仕様、物性値、価格等）のデータの確認後、サプライ品仕様受付確認ページの「確認ボタン」をマウス４５でクリックすると、トップページである画面Ｐ１に戻ることになる（Ｓｈ３）。
【００４６】
なお、入力された記載項目に漏れが有る場合には（ステップＳ４１のＮ）、クライアントＰＣ１の表示部４３にエラーである旨を表示し、画面Ｐ７（サプライ品要求項目データ入力ページ）に戻る（ステップＳ４４）。
【００４７】
［電子機器メーカーによるサプライ品の適合判定］
次に、電子機器メーカーによるサプライ品の適合判定について説明する。ここで、図１４はクライアントＰＣ５からブラウジング機能を利用してＬＡＮ４を介して電子機器メーカーのオフィス等に設置されるサーバ３のＷＥＢページを閲覧する際のクライアントＰＣ５の表示部４３に表示される画面イメージを示したフローチャートである。なお、図１４中、「Ｓｈ＋“番号”」は、サーバ３の制御手段２１が記憶装置２３のＷＥＢサーバプログラムに基づいて記憶装置２４に予め用意されているＨＴＭＬファイルを表示する処理を実行していることを示すものであり、「Ｓｃ＋“番号”」で示しているのは、記憶装置２４のＣＧＩプログラムが動作していることを示し、制御手段２１が閲覧者の要求に応じて閲覧情報を変えたり、ＷＥＢサーバ内でファイル処理を実行していることを示すものである。
【００４８】
［ログイン］
電子機器メーカーの担当者が、サプライ品適合判定システム１００によるサービスを受けるためには、電子機器メーカーのＷＥＢサイトの所定のＵＲＬ（Ｕｎｉｆｏｒｍ  Ｒｅｓｏｕｒｃｅ  ｌｏｃａｔｏｒ）にアクセスするとともに、電子機器メーカーのＷＥＢサイトにログインする必要がある。そこで、クライアントＰＣ５の表示部４３に表示される画面Ｐ１１（ＷＥＢサイトのトップページ）の「ログインボタン」をマウス４５でクリックすると、次の画面Ｐ１２に進む（Ｓｈ１１）。
【００４９】
図１４に示す画面Ｐ１２は、ログインページである。画面Ｐ１２には、電子機器メーカーの担当者のＩＤとパスワードを入力するフォームが表示されるので、各項目をキーボード４４を用いて入力する。そして、必要項目の入力後、ログインページの「確認ボタン」をマウス４５でクリックするとＣＧＩプログラム（Ｓｃ１１）が実行される。
【００５０】
ここで、図１５はＣＧＩプログラム（Ｓｃ１１）での処理の流れを示すフローチャートである。ＣＧＩプログラム（Ｓｃ１１）では、メーカー担当者データファイル２５を参照し、入力されたメーカー担当者のＩＤとパスワードが正しいものか否かを確認する（ステップＳ５１）。なお、メーカー担当者データファイル２５には、図１６に示すように、メーカー担当者データとして、メーカー担当者のＩＤ、パスワード、名前、電話番号、Ｅメールアドレス、当該メーカー担当者が所属している部署等が格納されている。したがって、メーカー担当者データファイル２５に格納されているＩＤ及びパスワードと、入力されたＩＤ及びパスワードとを照合することにより、入力されたＩＤ及びパスワードが正しいか否かが判定される。
【００５１】
入力されたＩＤとパスワードが正しければ（ステップＳ５１のＹ）、サプライ品仕様情報ファイル２６からサプライ品製造業者により登録されたサプライ品を抽出する（ステップＳ５２）。なお、ここで抽出するのは、
１．全てのサプライ品製造業者により登録された全てのサプライ品
２．特定のサプライ品製造業者により登録されたサプライ品
３．全てのサプライ品製造業者により登録された特定のサプライ品
４．特定のサプライ品製造業者により登録された特定のサプライ品
などである。
【００５２】
その後、このようにして抽出されたサプライ品を表示部４３にサプライ品一覧ページとして表示させる（ステップＳ５３）。
【００５３】
図１４の画面Ｐ１３は、サプライ品一覧ページである。図１４に示すように、画面Ｐ１３には、ステップＳ５２で抽出したサプライ品がサプライ品製造業者別に一覧表示される。
【００５４】
なお、ＩＤとパスワードとの少なくとも何れか一方が正しくない場合には（ステップＳ５１のＮ）、クライアントＰＣ５の表示部４３にエラーである旨を表示し、画面Ｐ１２（ログインページ）に戻る（ステップＳ５４）。
【００５５】
［サプライ品の適合判定］
図１４の画面Ｐ１３（サプライ品一覧ページ）に表示されている何れか一つの所定のサプライ品製造業者の「サプライ品」が電子機器メーカーの担当者によってマウス４５でクリックされると、ＣＧＩプログラム（Ｓｃ１２）が実行される。
【００５６】
図１７は、ＣＧＩプログラム（Ｓｃ１２）での処理の流れを示すフローチャートである。図１７に示すように、ＣＧＩプログラム（Ｓｃ１２）では、電子機器メーカーの担当者が選択した所定のサプライ品製造業者の「サプライ品」に対応するサプライ品の仕様（仕様、物性値、価格等）のデータをサプライ品仕様情報ファイル２６から抽出し（ステップＳ６１）、サプライ品要求仕様ファイル３０のデータと比較し、所定のサプライ品製造業者の「サプライ品」に対応するサプライ品の仕様（仕様、物性値、価格等）が、電子機器メーカーが要求する仕様（仕様、物性値、価格等）等に適合するか否かを判定する（ステップＳ６２）。ここに、サプライ品適合判定手段の機能が実行される。ここで、図１８はサプライ品要求仕様ファイル３０に記憶されるサプライ品要求仕様データのデータ構成を示す模式図である。図１８に示すように、サプライ品要求仕様ファイル３０には、電子機器メーカーがサプライ品に要求する仕様が格納されている。
【００５７】
その後、表示部４３に適合判定結果を表示する適合判定結果表示ページを表示させる（ステップＳ６３）。図１４の画面Ｐ１４は、適合判定結果表示ページである。図１４に示すように、ステップＳ６２での適合判定結果が表示される。
【００５８】
そして、電子機器メーカーの担当者が、図１４の画面Ｐ１４（適合判定結果表示ページ）の適合判定結果を確認し、「データ蓄積」ボタンをマウス４５でクリックすると、ＣＧＩプログラム（Ｓｃ１３）が実行される。
【００５９】
図１９は、ＣＧＩプログラム（Ｓｃ１３）での処理の流れを示すフローチャートである。図１９に示すように、ＣＧＩプログラム（Ｓｃ１３）では、サプライ品製造業者のサプライ品の仕様等をその適合判定結果とともに、記憶部として機能するサプライ品適合判定結果ファイル３１に蓄積し（ステップＳ７１）、表示部４３に画面Ｐ１１（ＷＥＢサイトのトップページ）を表示させる（ステップＳ７２）。ここで、図２０はサプライ品適合判定結果ファイル３１に記憶されるサプライ品データのデータ構成を示す模式図である。図２０に示すように、サプライ品適合判定結果ファイル３１には、社名、サプライ品の仕様（仕様、物性値、価格等）、物性値、価格等のデータ、適合判定結果が格納されている。ここに、サプライ品情報蓄積手段の機能が実行される。
【００６０】
ここに、情報入出力装置であるクライアントＰＣ１を介してアクセスしたサプライ品製造業者により、当該サプライ品製造業者が製造するサプライ品の供給を希望する電子機器が特定され、当該サプライ品製造業者が製造するサプライ品の仕様（仕様、物性値、価格等）が入力される。また、サプライ品製造業者が製造するサプライ品の仕様（仕様、物性値、価格等）が特定された電子機器に用いられるサプライ品に要求される仕様（仕様、物性値、価格等）に適合するか否かが判定される。その後、アクセスしたサプライ品製造業者と、サプライ品製造業者が製造するサプライ品の仕様と、適合判定結果とが、対応付けられてサプライ品適合判定結果ファイル３１に記憶される。これにより、サプライ品製造業者が製造するサプライ品が所望の電子機器に適合するか否かについての判定に要する工程が、サプライ品製造業者からサンプルの提供を受けて実際に使用して適合するか否かを判定する場合に比べて、簡略化されて時間的にも短縮される。また、多くのサプライ品製造業者からのアプローチが期待されることにより、高品質、低価格のサプライ品が供給できるようになる。
【００６１】
なお、本実施の形態では、ＷＥＢサーバプログラムをＨＤＤ等の記憶装置２３に格納し、ＨＴＭＬファイルとＣＧＩプログラムとをＨＤＤ等の記憶装置２４に格納するようにしたが、これに限るものではなく、フレキシブルディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等の各種方式のメディアを記憶媒体として用いるようにしても良い。なお、ＣＤ−ＲＯＭやＤＶＤ−ＲＯＭなどの各種の光学的な記憶媒体、各種の光磁気的な記憶媒体、フレキシブルディスクなどの各種の磁気的な記憶媒体等は、サーバ３に固定的に設けられておらず、単体で取り扱える交換自在な記憶媒体としての形態を備え、各メディアに適応した各種プログラム読取装置（ＣＤ−ＲＯＭドライブ等）を用いてプログラムを読み出すことで各種処理が可能になる。
【００６２】
【発明の効果】
本発明によれば、サプライ品製造業者が製造するサプライ品が所望の電子機器に適合するか否かについての判定に要する工程を、サプライ品製造業者からサンプルの提供を受けて実際に使用して適合するか否かを判定する場合に比べて、簡略化することができ、時間的にも短縮することができる。また、多くのサプライ品製造業者からのアプローチを期待することができ、高品質、低価格のサプライ品を供給することができるようになる。
【図面の簡単な説明】
【図１】本発明の実施の一形態のサプライ品適合判定システムの全体構成を概略的に示すシステム構成図である。
【図２】サーバの各部の電気的接続を示すブロック図である。
【図３】クライアントＰＣの各部の電気的接続を示すブロック図である。
【図４】サーバのＷＥＢページを閲覧する際のクライアントＰＣの表示部に表示される画面イメージを示したフローチャートである。
【図５】ＣＧＩプログラム（Ｓｃ１）での処理の流れを示すフローチャートである。
【図６】サプライ品製造業者データファイルに記憶されるサプライ品製造業者データのデータ構成を示す模式図である。
【図７】ＣＧＩプログラム（Ｓｃ２）での処理の流れを示すフローチャートである。
【図８】ＣＧＩプログラム（Ｓｃ３）での処理の流れを示すフローチャートである。
【図９】サプライ品情報データファイルに記憶されるサプライ品情報のデータ構成を示す模式図である。
【図１０】ＣＧＩプログラム（Ｓｃ４）での処理の流れを示すフローチャートである。
【図１１】サプライ品要求項目データファイルに記憶される電子機器に用いられるサプライ品に要求する各種のデータ項目のデータ構成を示す模式図である。
【図１２】ＣＧＩプログラム（Ｓｃ５）での処理の流れを示すフローチャートである。
【図１３】サプライ品仕様情報ファイルに記憶されるサプライ品仕様データのデータ構成を示す模式図である。
【図１４】サーバのＷＥＢページを閲覧する際のクライアントＰＣの表示部に表示される画面イメージを示したフローチャートである。
【図１５】ＣＧＩプログラム（Ｓｃ１１）での処理の流れを示すフローチャートである。
【図１６】メーカー担当者データファイルに記憶されるメーカー担当者データのデータ構成を示す模式図である。
【図１７】ＣＧＩプログラム（Ｓｃ１２）での処理の流れを示すフローチャートである。
【図１８】サプライ品要求仕様ファイルに記憶されるサプライ品要求仕様データのデータ構成を示す模式図である。
【図１９】ＣＧＩプログラム（Ｓｃ１３）での処理の流れを示すフローチャートである。
【図２０】サプライ品適合判定結果ファイルに記憶されるサプライ品データのデータ構成を示す模式図である。
【符号の説明】
１…情報入出力装置、２…通信ネットワーク、３…サプライ品適合判定装置、２３，２４…記憶媒体、３１…記憶部
【図１】
2004280143.tif 000003
【図２】
2004280143.tif 000004
【図３】
2004280143.tif 000005
【図４】
2004280143.tif 000006
【図５】
2004280143.tif 000007
【図６】
2004280143.tif 000008
【図７】
2004280143.tif 000009
【図８】
2004280143.tif 000010
【図９】
2004280143.tif 000011
【図１０】
2004280143.tif 000012
【図１１】
2004280143.tif 000013
【図１２】
2004280143.tif 000014
【図１３】
2004280143.tif 000015
【図１４】
2004280143.tif 000016
【図１５】
2004280143.tif 000017
【図１６】
2004280143.tif 000018
【図１７】
2004280143.tif 000019
【図１８】
2004280143.tif 000020
【図１９】
2004280143.tif 000021
【図２０】
2004280143.tif 000022